(57)【要約】【課題】  メイン出力電圧を共通の負荷に印加する複数のスイッチング電源からなる電源装置に関し、効率を低下させることなく、サブ出力電圧の安定化を図る。【解決手段】  メイン出力を共通の負荷に供給し、サブ出力を共通の負荷とは異なる負荷に供給する電源装置を構成するスイッチング電源は、メイントランスＴの一次側のスイッチング素子１を制御するスイッチング制御回路２と、二次側の整流平滑回路３と、整流平滑回路３からの自己出力電圧ＯＵＴ１Ａを逆流防止用ダイオードＤ１を介して共通の負荷に印加するメイン出力電圧ＯＵＴ１を分圧し、比較基準電圧Ｒｅｆと比較する演算増幅器６と、ダイオードＤ３と演算増幅器７とを含むスイッチング停止抑制回路と、メイン出力電圧により充電し、スイッチング停止抑制回路の分圧用の抵抗を介して放電するコンデンサＣａと充電用のダイオードＤａとを含む電圧低下ディレイ回路とを備えている。【選択図】      図１
2005160173.tif 000002
【特許請求の範囲】
【請求項１】
メイン出力とサブ出力との複数種類の出力を有する複数のスイッチング電源の前記メイン出力を共通の負荷に供給し、前記サブ出力を前記共通の負荷とは異なる負荷に供給する構成の電源装置に於いて、
前記スイッチング電源は、メイントランスの二次側の整流平滑回路からの自己出力電圧を、逆流防止用ダイオードを介して前記共通の負荷に印加し、該共通の負荷に印加するメイン出力電圧の分圧電圧と比較基準電圧とを比較器により比較して、前記自己出力電圧を前記メイン出力電圧の変化に追従するように、前記メイントランスの一次側のスイッチング素子のオン，オフを制御するスイッチング制御回路と、
ダイオードとコンデンサとを含み、前記ダイオードを介して前記メイン出力電圧により前記コンデンサを充電する構成の電圧ディレイ回路と、
該電圧ディレイ回路の前記コンデンサの端子電圧の分圧電圧と前記自己出力電圧の分圧電圧とを比較して、前記コンデンサの端子電圧の分圧電圧が前記自己出力電圧の分圧電圧より高い時に、前記スイッチング制御回路の前記比較器に入力する前記メイン出力電圧の分圧電圧を低減させるスイッチング停止抑制回路と
を備えたことを特徴とする電源装置。
【請求項２】
メイン出力とサブ出力との複数種類の出力を有する複数のスイッチング電源の前記メイン出力を共通の負荷に供給し、前記サブ出力を前記共通の負荷とは異なる負荷に供給する構成の電源装置に於いて、
前記スイッチング電源は、メイントランスの二次側の整流平滑回路からの自己出力電圧を、逆流防止用ダイオードを介して前記共通の負荷に印加し、該共通の負荷に印加するメイン出力電圧を検出するメイン出力電圧検出回路と、
前記自己出力電圧を検出する自己出力電圧検出回路と、
前記メイン出力検出回路の検出電圧の分圧電圧と比較基準電圧とを比較器により比較して前記自己出力電圧を安定化するように、前記メイントランスの一次側のスイッチング素子のオン，オフを制御するスイッチング制御回路と、
前記メイン出力電圧検出回路の検出電圧を、ダイオードを介してコンデンサに充電する電圧低下ディレイ回路と、
該電圧低下ディレイ回路の前記コンデンサの端子電圧を抵抗分圧した電圧が、前記自己出力電圧検出回路の検出電圧より高い時に、前記電圧低下ディレイ回路の前記ダイオードに印加される電圧を低減する比較器とダイオードとを含むスイッチング停止抑制回路と
を備えたことを特徴とする電源装置。
【発明の詳細な説明】
【技術分野】
【０００１】
本発明は、メイン出力とサブ出力との複数種類の出力を有する複数のスイッチング電源の同一種類のメイン出力を同一の負荷に供給する電源装置に関する。
【背景技術】
【０００２】
複数種類の電圧や電流容量の出力を有するスイッチング電源は、既に各種の構成が知られている。又複数のスイッチング電源を用いて負荷に安定化した電圧を供給する冗長構成の電源装置に於いて、確実に故障検出が可能となる構成が知られている（例えば、特許文献１参照）。又複数種類の出力を有するスイッチング電源を複数用いて負荷に安定化した電圧を供給する電源装置も知られている。
【０００３】
例えば、図４に示すように、複数のスイッチング電源２０−１〜２０−ｎ（ｎ＝２以上の整数）から負荷２１に安定化した電圧を供給し、他の負荷２２には、独立的に又は並列的に電圧を供給する電源装置が知られている。図４に於いて、１は電界効果トランジスタ等のスイッチング素子（ＳＷ）、２はスイッチング制御回路（ＣＯＮＴ）、３は整流用のダイオードや平滑用のコンデンサ等を含む整流平滑回路、４は整流平滑の為の構成と出力電圧安定化の為のシリーズレギュレータ等を含む整流平滑安定化回路、５は過電圧検出回路（ＯＶＰ）、６，７は演算増幅器、Ｄ１〜Ｄ３はダイオード、Ｒ１〜Ｒ７は抵抗、Ｒｄはダミー抵抗、Ｔはメイントランス、Ｎ１は一次巻線、Ｎ２は二次巻線、Ｎ３は三次巻線、Ｒｅｆは比較基準電圧を示す。尚、スイッチング電源２０−１〜２０−ｎは、少なくともトランスＴの三次巻線Ｎ３側の構成以外は同一の構成として、負荷２１に対して安定化した電圧を供給するものである。
【０００４】
メイントランスＴの一次巻線Ｎ１に供給する図示を省略した直流電源からの電流をスイッチング素子１により所定の周期でオン，オフし、そのオン期間をスイッチング制御回路２により制御する。それによるメイントランスＴの二次巻線Ｎ２の誘起電圧を、整流平滑回路３により整流して平滑化し、逆流防止のダイオードＤ１を介して負荷２１に出力電圧ＯＵＴ１を供給する。
【０００５】
ダイオードＤ１，Ｄ２は、共に逆流防止用のものであり、例えば、ショットキーダイオードが用いられる。又負荷２１に印加する電圧ＯＵＴ１は、他のスイッチング電源による出力電圧により影響を受けるものであるが、この電圧ＯＵＴ１を、抵抗Ｒ６，Ｒ７と抵抗Ｒ１，Ｒ２，Ｒ３とに印加し、整流平滑回路の出力電圧ＯＵＴ１ＡであるダイオードＤ１のアノード電圧を，抵抗Ｒ４，Ｒ５と過電圧検出回路５とに印加する。負荷２１に電流を供給している正常時は、抵抗Ｒ４，Ｒ５による分圧電圧と抵抗Ｒ６，Ｒ７による分圧電圧は、少なくともダイオードＤ１の順方向電圧降下分を含む電圧差があるから、演算増幅器７の出力はハイレベルとなり、ダイオードＤ３は逆方向バイアス状態でオフとなる。従って、演算増幅器６は、抵抗Ｒ１，Ｒ２，Ｒ３による分圧電圧と比較基準電圧Ｒｅｆとの差に対応した出力信号をスイッチング制御回路２に入力し、スイッチング制御回路２は、その差が零となるように、スイッチング素子１のオン期間を制御して、負荷２１に供給する電圧を安定化する。
【０００６】
又トランスＴの三次巻線Ｎ３の誘起電圧を整流平滑安定化回路４により整流して平滑化し、シリーズレギュレータやチョッパ制御等により出力電圧を安定化し、ダイオードＤ２を介した出力電圧ＯＵＴ２を負荷２２に供給する。このスイッチング電源２０−１は、トランスＴの二次巻線Ｎ２の誘起電圧を負荷２１に供給するメイン出力とし、三次巻線Ｎ３の誘起電圧を負荷２２に供給するサブ出力とした構成の場合を示す。従って、メイン出力は、その出力電圧ＯＵＴ１Ａを検出してスイッチング制御することにより安定化する。しかし、サブ出力は、その出力電圧ＯＵＴ２を検出してスイッチング制御していないので、負荷２２の変動により出力電圧ＯＵＴ２が変動することになるが、整流平滑安定化回路４のシリーズレギュレータ等により安定化する。
【０００７】
又負荷２１に印加する電圧ＯＵＴ１は、例えば、スイッチング電源２０−ｎの出力電圧が設定電圧より上昇したような場合には、他のスイッチング電源の出力電圧が設定電圧に制御されている場合でも上昇することになる。その場合、ダイオードＤ１のカソードとアノードとの間の電圧が上昇し、スイッチング電源２０−１に於いては、抵抗Ｒ４，Ｒ５による分圧電圧に比較して抵抗Ｒ６，Ｒ７による分圧電圧が上昇するから、演算増幅器７の出力がローレベルとなる。それにより、抵抗Ｒ１，Ｒ２，Ｒ３による分圧電圧が低下し、演算増幅器６の出力信号は、出力電圧ＯＵＴ１Ａが低下した場合と同様となり、スイッチング制御回路２は、スイッチング素子１のオン期間を長くするように制御し、負荷２１に印加する電圧ＯＵＴ１に追従して出力電圧ＯＵＴ１Ａを上昇させる。
【０００８】
出力電圧ＯＵＴ１Ａが予め設定した電圧を超えると、過電圧検出回路５は、この過電圧状態を検出して、スイッチング制御回路２に通知し、スイッチング素子１のオン期間の短縮又はスイッチング動作を停止して、過電圧状態による各部の損傷が生じないように出力電圧ＯＵＴ１Ａを低下させて保護する機能を有するものである。尚、ダミー抵抗Ｒｄは、負荷２１をオープン状態（無負荷状態）となっても、スイッチング動作を継続させることにより、トランスＴの三次巻線側の整流平滑安定化回路４から負荷２１に出力電圧ＯＵＴ２を供給できるようにする為のものである。
【特許文献１】特開平３−１０３０７１号公報
【発明の開示】
【発明が解決しようとする課題】
【０００９】
複数のスイッチング電源のメイン出力を共通の負荷に供給し、サブ出力はそれぞれ別個の負荷或いは共通の負荷に供給する電源装置に於いて、障害発生のスイッチング電源により、正常スイッチング電源のサブ出力の電圧が大きく変動する問題がある。
【００１０】
例えば、前述の図４に於いて、スイッチング電源２０−１が正常で、他のスイッチング電源２０−ｎが異常となって、その出力電圧が上昇し、このスイッチング電源２０−ｎの過電圧検出回路が過電圧状態を検出すると、スイッチング動作の停止又はオン期間の短縮により、スイッチング電源２０−ｎの出力電圧は低下する。この場合、正常スイッチング電源２０−１は、障害スイッチング電源２０−ｎの出力電圧の変化による負荷２１に印加する電圧ＯＵＴ１の変化に追従して出力電圧の上昇及び低下の制御が行われ、障害スイッチング電源２０−ｎの出力電圧が設定電圧以下に低下すると、負荷２１に印加する電圧ＯＵＴ１も低下するが、正常スイッチング電源２０−１は、設定電圧以下とならないように出力電圧ＯＵＴ１Ａを制御する。
【００１１】
図５の（Ａ），（Ｂ）は、出力電圧の変化の様子を示すもので、（Ａ）に於いて、負荷２１に印加する電圧ＯＵＴ１を実線で示し、時刻ｔ１に、スイッチング電源２０−ｎに異常が発生し、その出力電圧ＯＵＴ１Ａ’が点線で示すように上昇を開始すると、負荷２１に印加する電圧ＯＵＴ１も上昇する。それにより、正常のスイッチング電源２０−１の整流平滑回路３の出力電圧ＯＵＴ１Ａ、即ち、ダイオードＤ１のアノード電圧は、演算増幅器７の出力信号がローレベルとなるまでは一点鎖線で示すように一旦低下する。そして、演算増幅器７の出力信号がローレベルとなることにより、負荷２１に印加する電圧ＯＵＴ１に追従して上昇する。
【００１２】
そして、時刻ｔ２に於いて異常スイッチング電源２０−ｎ内の過電圧検出により、スイッチング動作の停止又はオン期間を最小期間とする制御によって、異常スイッチング電源２０−ｎの出力電圧ＯＵＴ１Ａ’（点線）は低下し、正常スイッチング電源２０−１に於いては、ＯＵＴ１＜ＯＵＴ１Ａの関係となって、整流平滑回路３の負荷電流は流れなくなる。そして、正常スイッチング電源２０−１の出力電圧ＯＵＴ１Ａ（一点鎖線）も低下し、負荷２１に印加する電圧ＯＵＴ１（実線）も低下する。そして、設定電圧まで低下すると、正常のスイッチング電源２０−１は、その設定電圧を維持するように出力電圧ＯＵＴ１Ａの安定化制御が行われる。
【００１３】
異常スイッチング電源２０−ｎの出力電圧ＯＵＴ１Ａ’は、過電圧検出により点線で示すように急速に低下するものであり、それに従って、正常スイッチング電源２０−１は、出力電圧ＯＵＴ１Ａを低下する為に、スイッチング動作の停止又はオン期間の短縮（スイッチングデュテイの縮小）を行う。それにより、トランスＴの三次巻線Ｎ３の誘起電圧も低下する。この誘起電圧の低下が比較的大きいので、整流平滑安定化回路４によって安定化できない状態となる。即ち、図５の（Ｂ）に示すように、時刻ｔ２以後に出力電圧ＯＵＴ２が大きく低下し、負荷２２に安定化した電圧を供給できない問題がある。
【００１４】
この問題を回避するには、ダミー抵抗Ｒｄの値を小さくし、前述のＯＵＴ１＜ＯＵＴ１Ａの関係となった場合に、整流平滑回路３からの出力電圧ＯＵＴ１Ａの低下を急速化することにより、三次巻線Ｎ３側の電圧の落ち込みを小さくすることができる。しかし、このダミー抵抗により、常時電力損失が発生するから、電源装置としての効率が低くなる問題がある。
【００１５】
本発明は、障害スイッチング電源の過電圧保護機能が動作した時のサブ出力の出力電圧の安定化を、効率を低下させることなく維持できるようにすることを目的とする。
【課題を解決するための手段】
【００１６】
本発明の電源装置は、メイン出力とサブ出力との複数種類の出力を有する複数のスイッチング電源のメイン出力を共通の負荷に供給し、サブ出力を共通の負荷とは異なる負荷に供給する構成の電源装置であって、スイッチング電源は、メイントランスの二次側の整流平滑回路からの自己出力電圧を、逆流防止用ダイオードを介して共通の負荷に印加し、この共通の負荷に印加するメイン出力電圧の分圧電圧と比較基準電圧とを比較器により比較して、自己出力電圧をメイン出力電圧の変化に追従するように、メイントランスの一次側のスイッチング素子のオン，オフを制御するスイッチング制御回路と、ダイオードとコンデンサとを含み、このダイオードを介してメイン出力電圧によりコンデンサを充電する構成の電圧ディレイ回路と、この電圧ディレイ回路のコンデンサの端子電圧の分圧電圧と自己出力電圧の分圧電圧とを比較して、コンデンサの端子電圧の分圧電圧が自己出力電圧の分圧電圧より高い時に、スイッチング制御回路の比較器に入力するメイン出力電圧の分圧電圧を低減させるスイッチング停止抑制回路とを備えている。
【００１７】
又メイン出力とサブ出力との複数種類の出力を有する複数のスイッチング電源のメイン出力を共通の負荷に供給し、サブ出力を共通の負荷とは異なる負荷に供給する構成の電源装置であって、スイッチング電源は、メイントランスの二次側の整流平滑回路からの自己出力電圧を、逆流防止用ダイオードを介して共通の負荷に印加し、この共通の負荷に印加するメイン出力電圧を検出するメイン出力電圧検出回路と、自己出力電圧を検出する自己出力電圧検出回路と、メイン出力検出回路の検出電圧の分圧電圧と比較基準電圧とを比較器により比較して、自己出力電圧を安定化するように、メイントランスの一次側のスイッチング素子のオン，オフを制御するスイッチング制御回路と、メイン出力電圧検出回路の検出電圧を、ダイオードを介してコンデンサに充電する電圧低下ディレイ回路と、この電圧低下ディレイ回路のコンデンサの端子電圧を抵抗分圧した電圧が、自己出力電圧検出回路の検出電圧より高い時に、電圧低下ディレイ回路のダイオードに印加される電圧を低減する比較器とダイオードとを含むスイッチング停止抑制回路とを備えている。
【発明の効果】
【００１８】
コンデンサとダイオードとを含む電圧低下ディレイ回路により、障害スイッチング電源の自己出力電圧が上昇した後、過電圧保護機能により急激に低下した場合に、正常スイッチング電源は、自己出力電圧を徐々に低下させるようにスイッチング制御を行うから、ダミー抵抗の抵抗値を小さくすることなく、サブ出力電圧の落ち込みを小さくすることができ、電力損失を増加することなく、過渡応答特性を改善することができる。
【発明を実施するための最良の形態】
【００１９】
本発明は、図１を参照して説明すると、メイン出力とサブ出力との複数種類の出力を有する複数のスイッチング電源のメイン出力を共通の負荷に供給し、サブ出力を共通の負荷とは異なる負荷に供給する構成の電源装置であって、スイッチング電源は、メイントランスＴの二次側の整流平滑回路３からの自己出力電圧を、逆流防止用ダイオードＤ１を介して共通の負荷２１に印加し、この共通の負荷２１に印加するメイン出力電圧ＯＵＴ１の分圧電圧と比較基準電圧とを、演算増幅器６からなる比較器により比較して、自己出力電圧ＯＵＴ１Ａをメイン出力電圧ＯＵＴ１の変化に追従するように、メイントランスＴの一次側のスイッチング素子１のオン，オフを制御するスイッチング制御回路２と、ダイオードＤａとコンデンサＣａとを含み、このダイオードＤａを介してメイン出力電圧ＯＵＴ１によりコンデンサＣａを充電する構成の電圧ディレイ回路ＤＬと、この電圧ディレイ回路ＤＬのコンデンサＣａの端子電圧の分圧電圧と自己出力電圧ＯＵＴ１Ａの分圧電圧とを比較して、コンデンサＣａの端子電圧の分圧電圧が自己出力電圧ＯＵＴ１Ａの分圧電圧より高い時に、スイッチング制御回路２の比較器に入力するメイン出力電圧ＯＵＴ１の分圧電圧を低減させるスイッチング停止抑制回路とを備えている。
【実施例１】
【００２０】
図１は、本発明の実施例１の説明図であり、負荷及び他のスイッチング電源については図示を省略しており、１は電界効果トランジスタ等のスイッチング素子（ＳＷ）、２はスイッチング制御回路（ＣＯＮＴ）、３は整流用のダイオードや平滑用のコンデンサ等を含む整流平滑回路、４は整流平滑の為の構成と出力電圧安定化の為のシリーズレギュレータ等を含む整流平滑安定化回路、５は過電圧検出回路（ＯＶＰ）、６，７は演算増幅器、Ｄ１〜Ｄ３，Ｄａはダイオード、Ｒ１〜Ｒ７は抵抗、Ｒｄはダミー抵抗、Ｔはメイントランス、Ｎ１は一次巻線、Ｎ２は二次巻線、Ｎ３は三次巻線、Ｒｅｆは比較基準電圧、Ｃａはコンデンサ、ＤＬは電圧低下ディレイ回路、ＯＵＴ１はメイン出力電圧、ＯＵＴ１Ａは自己出力電圧、ＯＵＴ２はサブ出力電圧を示す。
【００２１】
この実施例１は、前述の図４に示すスイッチング電源２０−１に、ダイオードＤａとコンデンサＣａとを含む電圧低下ディレイ回路ＤＬを接続した構成に相当するものであり、ダイオードＤａを、分圧用の抵抗Ｒ６，Ｒ７に対して直列に接続し、コンデンサＣａを、抵抗Ｒ６，Ｒ７に対して並列に接続する。従って、コンデンサＣａは、ダイオードＤａを介して共通の負荷（図示を省略）に印加するメイン出力電圧ＯＵＴ１により充電され、分圧用の抵抗Ｒ６，Ｒ７を介して放電される構成となる。従って、充電時定数は小さい値となるが、放電時定数は、分圧用の抵抗Ｒ６，Ｒ７に従ったものとなる。
【００２２】
又演算増幅器６は、比較基準電圧Ｒｅｆと、抵抗Ｒ１，Ｒ２，Ｒ３によりメイン出力電圧ＯＵＴ１を分圧した電圧と比較する比較器を構成し、又抵抗Ｒ４，Ｒ５により自己出力電圧ＯＵＴ１Ａを分圧した電圧と、抵抗Ｒ６，Ｒ７によりダイオードＤａを介したメイン出力電圧ＯＵＴ１を分圧した電圧とを比較する演算増幅器７からなる比較器と、この比較器の出力電圧がローレベルの時に、抵抗Ｒ１，Ｒ２，Ｒ３によるメイン出力電圧ＯＵＴ１の分圧電圧を低下させる為のダイオードＤ３とを含む構成によりスイッチング停止抑制回路を構成している。
【００２３】
又過電圧検出回路５は、自己出力電圧ＯＵＴ１Ａを監視し、設定値を超える自己出力電圧となった時に、スイッチング制御回路２に通知し、スイッチング制御回路２は、メイントランスＴの一次側のスイッチング素子１のオン期間の短縮やスイッチング動作の停止により、自己出力電圧ＯＵＴ１Ａを低下させる。その時は、サブ出力電圧ＯＵＴ２も低下する。尚、整流平滑安定化回路４は、従来例と同様に、サブ出力電圧ＯＵＴ２の安定化を図る構成を含むものである。
【００２４】
共通の負荷（図示せず）に、複数のスイッチング電源の自己出力電圧ＯＵＴ１Ａを、逆流防止用ダイオードＤ１を介して供給している状態に於いて、他のスイッチング電源（図示せず）に異常が発生して、その自己出力電圧が上昇し、過電圧保護機能によりその自己出力電圧を低下させた場合、上昇した時の負荷に印加されたメイン出力電圧ＯＵＴ１により、コンデンサＣａはダイオードＤａを介して充電され、そのメイン出力電圧ＯＵＴ１が低下すると、コンデンサＣａの充電電荷は、抵抗Ｒ６，Ｒ７を介して放電される。この抵抗Ｒ６，Ｒ７は、抵抗Ｒ１，Ｒ２，Ｒ３と共に比較的高い抵抗値を有するものであり、従って、充電時定数は小さく、放電時定数は大きい構成となる。その為、メイン出力電圧ＯＵＴ１の低下に対して、スイッチング停止抑制回路を構成する演算増幅器７の−端子に入力する電圧の低下は遅延した状態となる。従って、メイン出力電圧ＯＵＴ１が自己出力電圧ＯＵＴ１Ａより低下しても、スイッチング動作を停止しないことになり、三次巻線Ｎ３の誘起電圧を確保し、サブ出力電圧ＯＵＴ２の安定化が可能となる。
【００２５】
図２は、本発明の実施例１の出力電圧の説明図であり、（Ａ）は、障害スイッチング電源の自己出力電圧ＯＵＴ１Ａ’を点線、正常スイッチング電源の自己出力電圧ＯＵＴ１Ａを一点鎖線、負荷に印加するメイン出力電圧ＯＵＴ１を実線で示す。又（Ｂ）は、三次巻線Ｎ３側の整流平滑安定化回路４からダイオードＤ２を介したサブ出力電圧ＯＵＴ２を示す。
【００２６】
時刻ｔ１に、障害スイッチング電源の自己出力電圧ＯＵＴ１Ａ’が上昇を開始すると、メイン出力電圧ＯＵＴ１も上昇し、それにより、正常スイッチング電源の自己出力電圧ＯＵＴ１Ａは、ダイオードＤ１のアノードの電圧ＯＵＴ１Ａに比較して、カソードの電圧ＯＵＴ１が高い状態となるが、演算増幅器７の出力信号がハイレベルとなっている期間は、メイン出力電圧ＯＵＴ１の抵抗Ｒ１，Ｒ２，Ｒ３による分圧電圧が比較基準電圧Ｒｅｆより高いので、スイッチング制御回路２は、自己出力電圧ＯＵＴ１Ａを低下させるようにスイッチング制御する。それにより、一旦低下する状態となる。そして、その後、演算増幅器７の出力信号がローレベルとなると、ダイオードＤ３には順方向電圧が印加され、演算増幅器６の−端子に入力される分圧電圧は比較基準電圧Ｒｅｆより低下し、スイッチング制御回路２は、メイン出力電圧ＯＵＴ１に追従して自己出力電圧ＯＵＴ１Ａを上昇させるように、スイッチング素子１のスイッチング制御を行う。この時、コンデンサＣａは、上昇したメイン出力電圧ＯＵＴ１により、ダイオードＤａを介して充電される。
【００２７】
時刻ｔ２に於いて、障害スイッチング電源の過電圧保護機能が作用して、その自己出力電圧ＯＵＴ１Ａ’が低下すると、負荷に印加するメイン出力電圧ＯＵＴ１も低下する。この時、コンデンサＣａの端子電圧は、メイン出力電圧ＯＵＴ１より充分に遅い速度で低下する。その為、演算増幅器７の出力信号は、ローレベルを継続することになる。従って、ＯＵＴ１Ａ＜ＯＵＴ１の状態が継続しているように、スイッチング制御回路２はスイッチング制御を行い、自己出力電圧ＯＵＴ１Ａは、コンデンサＣａの放電時定数に従ったような状態で徐々に低下する。このように、電圧低下ディレイ回路ＤＬとスイッチング停止抑制回路とにより、スイッチング動作が継続されるので、三次巻線Ｎ３の誘起電圧の低下も徐々となり、整流平滑安定化回路４により、サブ出力電圧ＯＵＴ２を安定化することができる。それにより、図５の（Ｂ）に示すように、サブ出力電圧ＯＵＴ２の落ち込みは僅かなものとなる。この場合、ダミー抵抗Ｒｄによる作用を用いないので、ダミー抵抗Ｒｄとしては、高い抵抗値として電力損失を小さくし、効率低下を回避することができる。尚、トランスＴの巻線を追加してサブ出力の種類を更に多数とすることも可能である。
【実施例２】
【００２８】
図３は、本発明の実施例２の説明図であり、図１と同一符号は同一部分を示し、Ｌはメイン出力電圧を、他のスイッチング電源（図示を省略）のメイン出力電圧と共に印加する負荷、ＲＳ＋，ＲＳ−はリモートセンスライン、Ｒ１１〜Ｒ２７は抵抗を示し、６はメイン出力電圧の制御用の演算増幅器、８はメイン出力電圧検出用の演算増幅器、９は自己出力電圧検出用の演算増幅器、１０はスイッチング停止抑制用の演算増幅器を示す。
【００２９】
又ダイオードＤａとコンデンサＣａとを含む構成により電圧低下ディレイ回路ＤＬを構成し、ダイオードＤ３と演算増幅器１０とを含む構成により、スイッチング停止抑制回路を構成している。又演算増幅器６は、比較基準電圧Ｒｅｆと比較してスイッチング制御回路２に比較出力信号を入力する比較器を構成し、又演算増幅器８と抵抗Ｒ２２〜Ｒ２７とを含む構成によりメイン出力電圧検出回路を構成している。又演算増幅器９と抵抗Ｒ１５〜Ｒ１８とを含む構成により自己出力電圧検出回路を構成している。
【００３０】
負荷Ｌに印加するメイン出力電圧ＯＵＴ１を抵抗Ｒ２５〜Ｒ２７により分圧して、演算増幅器８に入力する。この演算増幅器８は、非反転のメイン出力電圧検出用の演算増幅器として動作し、メイン出力電圧ＯＵＴ１に対応した出力電圧を、抵抗Ｒ１９〜Ｒ２１に印加すると共に、電圧低下ディレイ回路ＤＬのダイオードＤａを介してコンデンサＣａに印加する。従って、コンデンサＣａの端子電圧は、メイン出力電圧ＯＵＴ１に従って上昇し、メイン出力電圧ＯＵＴ１が低下した時は、抵抗Ｒ１１，Ｒ１２による放電時定数に従って徐々に低下する。尚、リモートセンスラインＲＳ＋，ＲＳ−は、スイッチング電源から負荷Ｌまでの給電線が長い場合に、正確に負荷Ｌの両端の電圧を検出できるように接続する線であり、点線で示している。又抵抗Ｒ２５，Ｒ２４は、給電線による電圧降下分を補償する為のものである。
【００３１】
又ダイオードＤ１のアノード電圧、即ち、整流平滑回路３の自己出力電圧ＯＵＴ１Ａを抵抗Ｒ１７，Ｒ１８により分圧して、演算増幅器９に入力する。この演算増幅器９は、非反転の自己出力電圧検出用の増幅器として動作し、その出力電圧を、過電圧検出回路５と、抵抗Ｒ１３，Ｒ１４とに印加する。
【００３２】
又演算増幅器６は、抵抗Ｒ２０，Ｒ２１の接続点の電圧と、比較基準電圧Ｒｅｆとを比較し、差分をスイッチング制御回路２に入力するメイン出力制御用の増幅器として動作する。又演算増幅器１０は、メイン出力電圧ＯＵＴ１が上昇したことにより、抵抗Ｒ１１，Ｒ１２による分圧電圧が、抵抗Ｒ１３，Ｒ１４による分圧電圧より高くなると、ローレベルの出力電圧となり、ダイオードＤ３に順方向電圧が印加される状態となる。
【００３３】
例えば、図示を省略した他のスイッチング電源の異常によりメイン出力電圧ＯＵＴ１が上昇すると、演算増幅器１０の出力電圧がローレベルとなるまでは、比較基準電圧Ｒｅｆに比較して抵抗Ｒ２０，Ｒ２１の接続点の電圧が上昇するから、スイッチング制御回路２は、スイッチング素子１のオン期間を短縮するように動作し、それにより、自己出力電圧ＯＵＴ１Ａは低下する。そして、演算増幅器１０の出力電圧がローレベルとなると、抵抗Ｒ２０，Ｒ２１の接続点の電圧が低下し、比較基準電圧Ｒｅｆに比較して低下するから、スイッチング制御回路２は、スイッチング素子１のオン期間を長くし、メイン出力電圧ＯＵＴ１の上昇に追従して自己出力電圧ＯＵＴ１Ａを上昇させる。即ち、演算増幅器１０とダイオードＤ３とを含むスイッチング停止抑制回路により、メイン出力電圧ＯＵＴ１の上昇時のスイッチング動作の停止が抑制される。
【００３４】
そして、障害スイッチング電源の過電圧保護機能が作用して、メイン出力電圧ＯＵＴ１が低下すると、抵抗Ｒ１１，Ｒ１２による分圧電圧は、コンデンサＣａの端子電圧を分圧したものであるから、メイン出力電圧ＯＵＴ１の低下によっても、放電時定数に従って徐々に低下し、演算増幅器１０の出力電圧はローレベルを継続し、メイン出力電圧ＯＵＴ１が設定電圧よりも低下した後の短時間までは、自己出力電圧ＯＵＴ１Ａに比較してメイン出力電圧ＯＵＴ１が恰も高い状態を継続させることにより、自己出力電圧ＯＵＴ１Ａを徐々に低下させる。従って、スイッチング素子１のオン，オフ動作を継続させて、サブ出力電圧ＯＵＴ２の大きな落ち込みを回避し、安定化することができる。
【図面の簡単な説明】
【００３５】
【図１】本発明の実施例１の説明図である。
【図２】本発明の実施例１の出力電圧の説明図である。
【図３】本発明の実施例２の説明図である。
【図４】従来例の説明図である。
【図５】従来例の出力電圧の説明図である。
【符号の説明】
【００３６】
１  スイッチング素子（ＳＷ）
２  スイッチング制御回路（ＣＯＮＴ）
３  整流平滑回路
４  整流平滑安定化回路
５  過電圧検出回路（ＯＶＰ）
６，７  演算増幅器
Ｄ１〜Ｄ３，Ｄａ  ダイオード
Ｔ  メイントランス
Ｎ１  一次巻線
Ｎ２  二次巻線
Ｎ３  三次巻線
Ｃａ  コンデンサ
Ｒ１〜Ｒ７  抵抗
Ｒｄ  ダミー抵抗
【図１】
2005160173.tif 000003
【図２】
2005160173.tif 000004
【図３】
2005160173.tif 000005
【図４】
2005160173.tif 000006
【図５】
2005160173.tif 000007